(57)【要約】【課題】より安定した飛距離が得られるゴルフクラブヘッドを提供すること。【解決手段】フェース部、クラウン部、ソール部及びサイド部を備えた中空のゴルフクラブヘッドにおいて、鋳造により成形された、前記フェース部と前記クラウン部との境界をなすフェース−クラウン曲部のうち、トウ側のフェース−クラウン曲部をヒール側のフェース−クラウン曲部よりも薄肉にしたことを特徴とする。【選択図】図２
2010088630.tif 000002
【特許請求の範囲】
【請求項１】
フェース部、クラウン部、ソール部及びサイド部を備えた中空のゴルフクラブヘッドにおいて、
鋳造により成形された、前記フェース部と前記クラウン部との境界をなすフェース−クラウン曲部のうち、トウ側のフェース−クラウン曲部をヒール側のフェース−クラウン曲部よりも薄肉にしたことを特徴とするゴルフクラブヘッド。
【請求項２】
フェース部、クラウン部、ソール部及びサイド部を備えた中空のゴルフクラブヘッドにおいて、
鋳造により成形された、前記フェース部と前記ソール部との境界をなすフェース−ソール曲部のうち、ヒール側のフェース−ソール曲部をトウ側のフェース−ソール曲部よりも薄肉にしたことを特徴とするゴルフクラブヘッド。
【請求項３】
鋳造により成形された、前記フェース部とトウ側の前記サイド部との境界をなすフェース−サイド−トウ側曲部のうち、前記クラウン部側のフェース−サイド−トウ側曲部を、前記ソール側のフェース−サイド−トウ側曲部よりも薄肉にしたことを特徴とする請求項１に記載のゴルフクラブヘッド。
【請求項４】
鋳造により成形された、前記フェース部とヒール側の前記サイド部との境界をなすフェース−サイド−ヒール側曲部のうち、前記ソール部側のフェース−サイド−ヒール側曲部を、前記クラウン側のフェース−サイド−ヒール側曲部よりも薄肉にしたことを特徴とする請求項２に記載のゴルフクラブヘッド。
【請求項５】
前記フェース部のうち、トウ側であって前記クラウン側の領域を、ヒール側であって前記クラウン側の領域及びトウ側であって前記ソール側の領域よりも薄肉にしたことを特徴とする請求項３に記載のゴルフクラブヘッド。
【請求項６】
前記フェース部のうち、ヒール側であって前記ソール側の領域を、トウ側であって前記ソール側の領域及びヒール側であって前記クラウン側の領域よりも薄肉にしたことを特徴とする請求項４に記載のゴルフクラブヘッド。
【請求項７】
フェース部、クラウン部、ソール部及びサイド部を備えた中空のゴルフクラブヘッドにおいて、
鋳造により成形された、前記フェース部と前記クラウン部との境界をなすフェース−クラウン曲部のうち、トウ側のフェース−クラウン曲部をヒール側のフェース−クラウン曲部よりも薄肉にし、
鋳造により成形された、前記フェース部と前記ソール部との境界をなすフェース−ソール曲部のうち、ヒール側のフェース−ソール曲部をトウ側のフェース−ソール曲部よりも薄肉にしたことを特徴とするゴルフクラブヘッド。
【請求項８】
鋳造により成形された、前記フェース部とトウ側の前記サイド部との境界をなすフェース−サイド−トウ側曲部のうち、前記クラウン部側のフェース−サイド−トウ側曲部を、前記ソール側のフェース−サイド−トウ側曲部よりも薄肉にし、
鋳造により成形された、前記フェース部とヒール側の前記サイド部との境界をなすフェース−サイド−ヒール側曲部のうち、前記ソール部側のフェース−サイド−ヒール側曲部を、前記クラウン側のフェース−サイド−ヒール側曲部よりも薄肉にしたことを特徴とする請求項７に記載のゴルフクラブヘッド。
【請求項９】
前記フェース部のうち、トウ側であって前記クラウン側の領域を、ヒール側であって前記クラウン側の領域及びトウ側であって前記ソール側の領域よりも薄肉にし、
前記フェース部のうち、ヒール側であって前記ソール側の領域を、トウ側であって前記ソール側の領域及びヒール側であって前記クラウン側の領域よりも薄肉にしたことを特徴とする請求項８に記載のゴルフクラブヘッド。
【請求項１０】
前記ゴルフクラブヘッドが、前記クラウン部、前記ソール部、前記サイド部及び前記フェース部の周縁部分を構成する本体部材と、前記フェース部の残りの部分を構成するフェース部材と、を接合してなり、前記本体部材が鋳造品であることを特徴とする請求項１乃至９のいずれか１項に記載のゴルフクラブヘッド。
【発明の詳細な説明】
【技術分野】
【０００１】
本発明は、中空のゴルフクラブヘッドに関する。
【背景技術】
【０００２】
ウッド型や、ユーティリティ型（ハイブリッド型）のゴルフクラブヘッドでは、中空構造を有するものが提案されている（例えば、特許文献１）。この種のゴルフクラブヘッドでは、その飛距離性能が重視される場合が多く、より安定した飛距離が得られることが望まれる。
【０００３】
【特許文献１】特開平８−１５５０６０号公報
【発明の開示】
【発明が解決しようとする課題】
【０００４】
打球の飛距離は、フェース部上のゴルフボールの打点と関係する。アベレージゴルファはゴルフボールの打点がばらつき易く、したがって、飛距離もばらつき易い。一方、打点のばらつきには一定の傾向がある。
【０００５】
本発明の目的は、より安定した飛距離が得られるゴルフクラブヘッドを提供することにある。
【課題を解決するための手段】
【０００６】
本発明によれば、フェース部、クラウン部、ソール部及びサイド部を備えた中空のゴルフクラブヘッドにおいて、鋳造により成形された、前記フェース部と前記クラウン部との境界をなすフェース−クラウン曲部のうち、トウ側のフェース−クラウン曲部をヒール側のフェース−クラウン曲部よりも薄肉にしたことを特徴とするゴルフクラブヘッドが提供される。
【０００７】
また、本発明によれば、フェース部、クラウン部、ソール部及びサイド部を備えた中空のゴルフクラブヘッドにおいて、鋳造により成形された、前記フェース部と前記ソール部との境界をなすフェース−ソール曲部のうち、ヒール側のフェース−ソール曲部をトウ側のフェース−ソール曲部よりも薄肉にしたことを特徴とするゴルフクラブヘッドが提供される。
【０００８】
また、本発明によれば、フェース部、クラウン部、ソール部及びサイド部を備えた中空のゴルフクラブヘッドにおいて、鋳造により成形された、前記フェース部と前記クラウン部との境界をなすフェース−クラウン曲部のうち、トウ側のフェース−クラウン曲部をヒール側のフェース−クラウン曲部よりも薄肉にし、前記フェース部と前記ソール部との境界をなすフェース−ソール曲部のうち、ヒール側のフェース−ソール曲部をトウ側のフェース−ソール曲部よりも薄肉にしたことを特徴とするゴルフクラブヘッドが提供される。
【発明の効果】
【０００９】
本発明によれば、より安定した飛距離が得られるゴルフクラブヘッドを提供することにある。
【発明を実施するための最良の形態】
【００１０】
図１は、本発明の一実施形態に係るゴルフクラブヘッド１０の斜視図であり、ソール部１３を透視して表した図である。図２（Ａ）はゴルフクラブヘッド１０をフェース部１１側から見た正面図、図２（Ｂ）はゴルフクラブヘッド１０の側面図である。図３は図２（Ａ）の線Ｉ−Ｉに沿う断面図である。
【００１１】
ゴルフクラブヘッド１０は、中空体をなしており、その周壁が、フェース面（打撃面）を形成するフェース部１１と、ゴルフクラブヘッド１０の上部を形成するクラウン部１２と、ゴルフクラブヘッド１０の底部を形成するソール部１３と、ゴルフクラブヘッド１０の側部を形成するサイド部１４と、を構成している。サイド部１４は、トウ側の部分、ヒール側の部分及びバック側の部分を含む。また、ゴルフクラブヘッド１０はシャフトが取付けられるホゼル部１５と、を備える。
【００１２】
ゴルフクラブヘッド１０はドライバ用のゴルフクラブヘッドであるが、本発明はドライバ以外のフェアウエイウッド等も含むウッド型のゴルフクラブヘッド、ユーティリティ型（ハイブリッド型）のゴルフクラブヘッド、その他の中空のゴルフクラブヘッドに適用可能である。
【００１３】
ゴルフクラブヘッド１０は、金属材料から作成することができ、そのような金属材料としては、チタン系金属（例えば、６Ａｌ−４Ｖ−Ｔｉのチタン合金等）、ステンレス、ベリリウムカッパー等の銅合金が挙げられる。
【００１４】
ゴルフクラブヘッド１０は、複数のパーツを接合して組み立てることができる。本実施形態の場合、図３に示すように、本体部材１と、フェース部材２と、を接合して形成されている。本体部材１は、クラウン部１２、ソール部１３、サイド部１４及びフェース部１１の周縁部分を構成し、フェース部１１に相当する部分の一部に開口部が形成されたものである。フェース部材２はこの開口部を塞ぐように本体部材１に接合されている。フェース部１１は、本体部材１の開口部周縁と、フェース部材２とにより形成されている。本体部材１は鋳造成形により成形されたものである。本実施形態では、本体部材１の開口部をフェース部１１に相当する部分の一部に設けたが、ソール部１３に相当する部分の一部等、他の部分に設け、開口部を塞ぐ部材を接合してもよい。
【００１５】
図２（Ａ）を参照して、ゴルフクラブヘッド１０は、フェース部１１の周縁の曲部の一部及びフェース部１１の周縁の一部の領域の厚さを薄肉とした薄肉領域Ｓ１及びＳ２を有している。薄肉領域Ｓ１及びＳ２、本体部材１の一部であり、本体部材１を鋳造成形することで、鋳造成形により形成される。薄肉領域Ｓ１は、ゴルフクラブヘッド１０の、クラウン部１２側からトウ側のサイド部１４側に渡って形成されており、本実施形態の場合、フェースセンタＦＣを通る仮想線Ｌ２よりもトウ側に位置している。また、薄肉領域Ｓ２は、ゴルフクラブヘッド１０のソール部１３側からヒール側のサイド部１４側に渡って形成されており、本実施形態の場合、フェースセンタＦＣを通る仮想線Ｌ２よりもヒール側に位置している。
【００１６】
ここで、フェースセンタＦＣについて図３（Ａ）及び（Ｂ）を参照して説明する。図３（Ａ）において、角度θ１はライ角であり、ホゼル部１５に取り付けられるシャフトの軸線Ｌ１と、接地面とがなす角度である。図３（Ｂ）において、角度θ２はロフト角であり、フェース部１１と、接地面とがなす角度である。図３（Ａ）において、線Ｌ２はゴルフクラブヘッド１０を、その規定ライ角、規定ロフト角で接地面に接地させたときに、図３（Ａ）に示すように接地部分のトウーヒール方向の中心線を通る線である。この線Ｌ３と交わるフェース部１１の上端、下端をそれぞれ位置Ｐ１、Ｐ２とし、位置Ｐ１、Ｐ２間の高低差Ｈの１／２の位置をフェースセンタＦＣとする。
【００１７】
次に、図４（Ａ）は図２（Ａ）の線ＩＩ−ＩＩに沿う断面図であり、図４（Ｂ）は図２（Ａ）の線ＩＩＩ−ＩＩＩに沿う断面図である。同図に示すように、フェース部１１とクラウン部１２との境界をなすフェース−クラウン曲部ｂ１のうち、相対的にトウ側である薄肉領域Ｓ１においては曲部ｂ１の厚さがｔｂ１であり、相対的にヒール側の曲部ｂ１の厚さｔｂ２（＞ｔｂ１）よりも薄肉である。本実施形態の場合、曲部ｂ１の厚さは、その内周面の半径を変えることにより異なるようにしており、薄肉領域Ｓ１においては半径Ｒ１、相対的にヒール側の曲部ｂ１においては半径Ｒ０（＞Ｒ１）としている。
【００１８】
また、本実施形態では、フェース部１１の厚さも、相対的にトウ側である薄肉領域Ｓ１においてはｔｆ１とし、相対的にヒール側の厚さｔｆ０（＞ｔｆ１）よりも薄肉であり、曲部ｂ１から離れるに従って厚くなり、厚さｔｆ０に至っている。
【００１９】
薄肉領域Ｓ１において、フェース部１１を薄肉としない構成も採用可能であるが、その場合、曲部ｂ１からフェース部１１に渡って急激に厚さが変化し、応力が集中する場合がある。したがって、本実施形態のように、薄肉領域Ｓ１においてはフェース部１１を薄肉とし、曲部ｂ１から離れるにしたがって、厚さが増加するようにすることが好ましい。
【００２０】
図４（Ｃ）は図２（Ａ）の線ＩＶ−ＩＶに沿う断面図であり、図４（Ｄ）は図２（Ａ）の線Ｖ−Ｖに沿う断面図である。同図に示すように、フェース部１１とトウ側のサイド部１４との境界をなすフェース−サイド−トウ側曲部ｂ２のうち、相対的にクラウン部１２側である薄肉領域Ｓ１においては曲部ｂ２の厚さがｔｂ１であり、相対的にソール部１３側の曲部ｂ２の厚さｔｂ２（＞ｔｂ１）よりも薄肉である。本実施形態の場合、図４（Ａ）及び（Ｂ）に示した場合と同様に、曲部ｂ２の厚さは、その内周面の半径を変えることにより異なるようにしている。
【００２１】
また、本実施形態では、フェース部１１の厚さも、相対的にクラウン部１２側である薄肉領域Ｓ１においてはｔｆ１とし、相対的にソール部１３側の厚さｔｆ０（＞ｔｆ１）よりも薄肉であり、曲部ｂ２から離れるに従って厚くなり、厚さｔｆ０に至っている。
【００２２】
薄肉領域Ｓ１において、フェース部１１を薄肉としない構成も採用可能であるが、その場合、曲部ｂ２からフェース部１１に渡って急激に厚さが変化し、応力が集中する場合がある。したがって、本実施形態のように、薄肉領域Ｓ１においてはフェース部１１を薄肉とし、曲部ｂ２から離れるにしたがって、厚さが増加するようにすることが好ましい。
【００２３】
薄肉領域Ｓ２も薄肉領域Ｓ１と同様の構成である。図５（Ａ）は図２（Ａ）の線ＶＩ−ＶＩに沿う断面図であり、図５（Ｂ）は図２（Ａ）の線ＶＩＩ−ＶＩＩに沿う断面図である。同図に示すように、フェース部１１とソール部１３との境界をなすフェース−ソール曲部ｂ３のうち、相対的にヒール側である薄肉領域Ｓ２においては曲部ｂ３の厚さがｔｂ１であり、相対的にトウ側の曲部ｂ３の厚さｔｂ２（＞ｔｂ１）よりも薄肉である。本実施形態の場合、図４（Ａ）及び（Ｂ）に示した場合と同様に、曲部ｂ３の厚さは、その内周面の半径を変えることにより異なるようにしている。
【００２４】
また、本実施形態では、フェース部１１の厚さも、相対的にヒール側である薄肉領域Ｓ２においてはｔｆ１とし、相対的にトウ側の厚さｔｆ０（＞ｔｆ１）よりも薄肉であり、曲部ｂ３から離れるに従って厚くなり、厚さｔｆ０に至っている。
【００２５】
薄肉領域Ｓ２において、フェース部１１を薄肉としない構成も採用可能であるが、その場合、曲部ｂ３からフェース部１１に渡って急激に厚さが変化し、応力が集中する場合がある。したがって、本実施形態のように、薄肉領域Ｓ２においてはフェース部１１を薄肉とし、曲部ｂ３から離れるにしたがって、厚さが増加するようにすることが好ましい。
【００２６】
図５（Ｃ）は図２（Ａ）の線ＶＩＩＩ−ＶＩＩＩに沿う断面図であり、図５（Ｄ）は図２（Ａ）の線ＩＸ−ＩＸに沿う断面図である。同図に示すように、フェース部１１とヒール側のサイド部１４との境界をなすフェース−サイド−ヒール側曲部ｂ４のうち、相対的にソール部１３側である薄肉領域Ｓ２においては曲部ｂ４の厚さがｔｂ１であり、相対的にクラウン部１２側の曲部ｂ４の厚さｔｂ２（＞ｔｂ１）よりも薄肉である。本実施形態の場合、図４（Ａ）及び（Ｂ）に示した場合と同様に、曲部ｂ４の厚さは、その内周面の半径を変えることにより異なるようにしている。
【００２７】
また、本実施形態では、フェース部１１の厚さも、相対的にソール部１３側である薄肉領域Ｓ２においてはｔｆ１とし、相対的にクラウン部１２側の厚さｔｆ０（＞ｔｆ１）よりも薄肉であり、曲部ｂ４から離れるに従って厚くなり、厚さｔｆ０に至っている。
【００２８】
薄肉領域Ｓ２において、フェース部１１を薄肉としない構成も採用可能であるが、その場合、曲部ｂ４からフェース部１１に渡って急激に厚さが変化し、応力が集中する場合がある。したがって、本実施形態のように、薄肉領域Ｓ２においてはフェース部１１を薄肉とし、曲部ｂ４から離れるにしたがって、厚さが増加するようにすることが好ましい。
【００２９】
上述した厚さｔｂ１、ｔｂ２、ｔｆ１、ｔｆ０は、例えば、ゴルフクラブヘッド１０をチタン合金製とした場合、厚さｔｂ１、ｔｆ１は、２．０ｍｍ〜２．５ｍｍ、厚さｔｂ２、ｔｆ０は、２．３ｍｍ〜３．５ｍｍとすることができる。
【００３０】
このような構成からなる本実施形態のゴルフクラブヘッド１０では、薄肉領域Ｓ１、Ｓ２において、曲部ｂ１乃至ｂ４を薄肉としているので、フェース部１１の周縁部分のうち、トウ側でクラウン部１２側の領域及びヒール側でソール部１３側の領域が、他の領域よりも撓み易くなっている。加えて、薄肉領域Ｓ１、Ｓ２においてはフェース部１１自体も薄肉としているので、フェース部１１の周縁部分のうち、トウ側でクラウン部１２側の領域及びヒール側でソール部１３側の領域が更に撓み易くなっている。
【００３１】
一方、本発明の発明者の研究によれば、アベレージゴルファのフェース部１１上の打点のばらつきは、トウ側ではクラウン部１２側、ヒール側ではソール部１３側となる傾向にあり、図２（Ａ）の領域Ｓｖに示す分布となる。本実施形態の場合、フェース部１１のうち、トウ側でクラウン部１２側の領域及びヒール側でソール部１３側の領域が、より撓み易くなっているので、打点がフェースセンタＦＣ近傍を外れて、トウ側でクラウン部１２側の領域或いはヒール側でソール部１３側の領域となっても、飛距離が大きく落ちず、より安定した飛距離が得られる。また、フェース部１１の周縁のうち、薄肉領域Ｓ１、Ｓ２以外の部分では相対的に厚肉であるので、強度を確保できる。
【００３２】
また、薄肉領域Ｓ１、Ｓ２を鋳造成形により形成したので、その形成が比較的容易である。加えて、本体部材１が、薄肉領域Ｓ１、Ｓ２を含むフェース部１１の周縁部分を有することで、フェース部材２を溶接により接合する場合、溶接による肉厚の変化の影響を受けず、より確実に薄肉領域Ｓ１、Ｓ２を形成できる。
【００３３】
なお、本実施形態では、薄肉領域Ｓ１及びＳ２を形成したが、いずれか一方でもよい。薄肉領域Ｓ１のみを形成した場合、打点がフェースセンタＦＣ近傍を外れて、トウ側でクラウン部１２側の領域となった場合でも、飛距離が大きく落ちず、トウ側でクラウン部１２側の領域が打点となり易い傾向にあるゴルファに関して、より安定した飛距離が得られる。また、薄肉領域Ｓ２のみを形成した場合、打点がフェースセンタＦＣ近傍を外れて、ヒール側でソール部１３側の領域となった場合でも、飛距離が大きく落ちず、ヒール側でソール部１３側の領域が打点となり易いゴルファに関して、より安定した飛距離が得られる。
【００３４】
また、本実施形態では、薄肉領域Ｓ１をトウ側でクラウン部１２側からサイド部１４側に渡って形成したが、クラウン部１２側のみに形成してもよい。この場合も、打点がフェースセンタＦＣ近傍を外れて、トウ側でクラウン部１２側の領域となった場合に飛距離減少の抑制に一定の効果がある。尤も、本実施形態のように、サイド部１４側にも形成した方が好ましい。
【００３５】
同様に、本実施形態では、薄肉領域Ｓ２をヒール側でソール部１３側からサイド部１４側に渡って形成したが、ソール部１３側のみに形成してもよい。この場合も、打点がフェースセンタＦＣ近傍を外れて、ヒール側でソール部１３側の領域となった場合に飛距離減少の抑制に一定の効果がある。尤も、本実施形態のように、サイド部１４側にも形成した方が好ましい。
【図面の簡単な説明】
【００３６】
【図１】本発明の一実施形態に係るゴルフクラブヘッド１０の斜視図である。
【図２】（Ａ）はゴルフクラブヘッド１０をフェース部１１側から見た正面図、（Ｂ）はゴルフクラブヘッド１０の側面図である。
【図３】図２（Ａ）の線Ｉ−Ｉに沿う断面図である。
【図４】（Ａ）は図２（Ａ）の線ＩＩ−ＩＩに沿う断面図、（Ｂ）は図２（Ａ）の線ＩＩＩ−ＩＩＩに沿う断面図、（Ｃ）は図２（Ａ）の線ＩＶ−ＩＶに沿う断面図、（Ｄ）は図２（Ａ）の線Ｖ−Ｖに沿う断面図である。
【図５】（Ａ）は図２（Ａ）の線ＶＩ−ＶＩに沿う断面図、（Ｂ）は図２（Ａ）の線ＶＩＩ−ＶＩＩに沿う断面図、（Ｃ）は図２（Ａ）の線ＶＩＩＩ−ＶＩＩＩに沿う断面図、（Ｄ）は図２（Ａ）の線ＩＸ−ＩＸに沿う断面図である。
【符号の説明】
【００３７】
１０  ゴルフクラブヘッド
１１  フェース部
１２  クラウン部
１３  ソール部
１４  サイド部
Ｓ１、Ｓ２  薄肉領域
【図１】
2010088630.tif 000003
【図２】
2010088630.tif 000004
【図３】
2010088630.tif 000005
【図４】
2010088630.tif 000006
【図５】
2010088630.tif 000007